【事件の表示】
　特願２０１６−５０００２４「光ファイバビーム方向付けシステム及び装置」拒絶査定不服審判事件〔平成２６年　９月１８日国際公開、ＷＯ２０１４／１４２７８９、平成２８年　４月２８日国内公表、特表２０１６−５１２６１６〕について、次のとおり審決する。
【結　論】
　本件審判の請求は、成り立たない。
【理　由】
第１　手続の経緯
　本願は、２０１３年（平成２５年）３月１１日を国際出願日とする出願であって、平成３０年２月２６日付けで拒絶査定（以下「本件拒絶査定」という。）がなされ、これに対し同年７月６日に拒絶査定不服審判が請求されると同時に手続補正がなされ、当審で平成３１年２月１日付けで拒絶理由（以下、「当審拒絶理由」という。）が通知され、令和１年８月５日に意見書及び手続補正書が提出されたものである。
第２　本願発明
　本願の請求項１ないし１７に係る発明は、令和１年８月５日提出の手続補正書で補正された特許請求の範囲の請求項１ないし１７に記載された事項により特定されるものであって、そのうち請求項１に係る発明（以下、「本願発明」という。）は次のとおりのものである。
「【請求項１】
　長軸を有し、第１の端部と、円筒状外面と、第２の端部にあるビーム方向付け面とを含む略円筒体
　を含むレンズであって、
　前記略円筒体及び前記円筒状外面は、前記第１の端部と前記ビーム方向付け面との間に溝を規定し、該溝は内端面を規定し、該溝の高さは該溝の幅よりも大きく、前記溝は前記略円筒体の長軸に垂直な方向に開いており、
　前記ビーム方向付け面は前記長軸に対して傾斜し、
　前記溝は光ファイバを受容できる大きさに構成され、該光ファイバは前記溝内で接着されて置かれ、前記溝の幅は前記溝の長さよりも小さく、
　前記第１の端部はファイバ受容端面を定義し、該ファイバ受容端面はスロットを定義し、前記光ファイバは該スロットから延びている、レンズ。」
第３　当審拒絶理由について
１．当審拒絶理由の概要
　当審拒絶理由の理由２（進歩性）のうち、本願発明に関する部分の概要は次のとおりである。
（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項１
・引用文献１ないし３
＜引用文献等一覧＞
　１．国際公開第２０１１／１３３１８７号
　２．特開２００１−２６４５９４号公報
　３．特開２００４−２９７９８号公報
２．引用発明
（１）引用文献１
　当審拒絶理由に引用された、本願出願前に電気通信回線を通じて公衆に利用可能となった引用文献１（国際公開第２０１１／１３３１８７号）には、図面と共に次の事項が記載されている（下線は当審で付した。また、括弧内は当審による仮訳である。以下同じ。）。
ア．「1. 
An optical beam directing element comprising:
　
an elongate unitary cap comprising a cylindrical outer surface having a longitudinal axis comprising,
　
a proximal endface defining an annular opening and a distal endface comprising a beam directing surface, the elongate unitary cap defining a solid section and a first cavity section defining a volume extending to a boundary of the solid section, the volume sized to surround an optical fiber having a fiber endface and receive the optical fiber, wherein the beam directing surface is angled and positioned relative to the fiber endface such that light received from the fiber endface is directed a working distance D from the cylindrical outer surface to form a focal spot having diameter w.
（１．
長手軸をもつ円筒型外側表面を有する細長い一体型のキャップを有する光ビーム向き付け要素であって：
　
前記細長い一体型のキャップは、環形開口を画定する近位の端面及びビーム向き付け表面をもつ遠位の端面を有し、前記細長い一体型のキャップは中実なセクション及び該中実なセクションの境界まで延びる体積を画定する第一の空洞セクションを画定し、前記体積はファイバー端面をもつ光ファイバーを囲み、該光ファイバーを受け入れるような大きさであり、前記ビーム向き付け表面は、前記ファイバー端面に対して、前記ファイバー端面から受け取られた光が前記円筒型外側表面から作業距離Ｄに向けられて直径ｗの焦点スポットを形成するような角度及び位置にされる、
光ビーム向き付け要素
イ．「[0011] Light radiates from the optical fiber, travels through the solid material, and impinges on the curved reflective end surface. The curvature of the lensed surface can be designed to focus or substantially collimate the incident light. 
The lensed surface
be tilted relative to the propagation direction of the light radiating from the fiber tip
（[0011]　光ファイバーから光が放出され、前記固体材料中を進み、曲がった反射性の端表面に当たる。レンズ化された表面の曲率は、入射光を合焦するまたは実質的にコリメートするよう設計されることができる。
レンズ化された表面は
、ファイバー先端から放出される光の伝搬方向に対して傾斜させられる
ウ．「[0067] FIG. 1 shows one embodiment of the invention suitable for forming a beam at a predetermined location. Specifically, an optical system 10 suitable for directing and collecting light or otherwise collecting data with respect to a sample of interest is shown. In the example shown, an optical fiber is connected on its proximal end to a light source (not shown). 
The optical fiber includes coated region 12, and a light- guiding core with cladding region 14
（[0067]　FIG. 1は、所定の位置にビームを形成するのに好適な本発明のある実施形態を示している。特に、光を方向付け、光を収集するまたは関心対象の試料に関するデータを他の仕方で収集するのに好適な光学系１０が示されている。図示した例では、光ファイバーはその近位の端面で光源（図示せず）に接続される。
光ファイバーは、コーティングされた領域１２及びクラッディング領域１４をもつ光案内コアを含む
エ．「[0069] Thus, in one embodiment the optical cap (alternatively, an optical element) 18 includes a fiber containing section 20 and a beam forming (or solid) section 21. Since a continuous unitary material is typically used, a conceptual boundary shown  by dotted line or boundary 22 delineates the first section 20 from the second section 21. The boundary 22 of the optical cap 18 can be imagined as defining a plane positioned distal to the adhesive or protective material 16 that fills the void between the core 14 and the optical cap 18. As shown, in one embodiment a gap is present between the fiber endface 23 (which may be tilted from about 8° to about 15°) and the cavity wall 19. In addition, as shown 
the adhesive
16 fills the cavity which includes the coated region 12 and core with cladding 14
（[0069]　よって、ある実施形態では、光学キャップ（または光学素子）１８は、ファイバー含有セクション２０と、ビーム形成（または中実）セクション２１とを含む。連続的な一体型材料が典型的には使用されるので、点線または境界２２によって示される概念上の境界が第一のセクション２０を第二のセクション２１から区別している。光学キャップ１８の境界２２は、コア１４と光学キャップ１８との間の空隙を埋める接着剤または保護材料１６に遠位に位置される平面を画定するとイメージすることができる。図のように、ある実施形態では、ファイバー端面２３（これは約８°から約１５°傾いていてもよい）と空洞壁１９との間にギャップが存在する。さらに、図のように、
接着剤
１６が、コーティングされた領域１２及びクラッディング１４をもつコアを含む空洞を埋める
オ．「[0071] As shown in the embodiment of Fig. 1, the optical fiber core with cladding 14 and coated region 12 is inserted into a cavity on the proximal side of the optical element 18. Proximal and distal refer to location relative to the end of the fiber that is connected to the instrumentation outside of the body. The cavity (alternatively, fiber receiving chamber of the optical element) defined by wall 19 can be filled with a protective material or adhesive 16 as shown. The adhesive 16 is selected to be substantially optically transparent, and can be cured using ultraviolet light, heat, exposure to air, or any other curing method. To reduce the possibility of bubble formation between the fiber end face 23 and the cavity wall 19, application of the adhesive 16 may be performed under a partial vacuum. The material or adhesive 16 may be chosen to have a refractive index close to that of the fiber 14 and the optical element 18 in order to reduce backreflections. Alternatively, the material or adhesive 16 may be chosen to have a refractive index different than that of the fiber 14 and the optical element 18 in order to produce backreflections with a controlled amplitude. In one embodiment, the adhesive is an acrylic based adhesive. In one embodiment, an ultraviolet light curable adhesive is used.」
（[0071]　Fig. 1の実施形態に示されるように、クラッディング１４をもつ光ファイバー・コア及びコーティングされた領域１２は光学素子１８の近位の側で空洞に挿入される。近位及び遠位は、身体外の器具に接続されるファイバーの端に対する位置をいう。壁１９によって画定される空洞（または光学素子のファイバー受け入れ室）は図のように保護材料または接着剤１６で充填されることができる。接着剤１６は、実質的に光学的に透明なよう選択され、紫外光、熱、空気への暴露または他の任意の硬化方法によって硬化させることができる。ファイバー端面２３と空洞壁１９との間の泡形成の可能性を減らすため、接着剤１６の適用は部分的な真空下で実行されてもよい。後方反射を減らすため、材料または接着剤１６は、ファイバー１４及び光学素子１８の屈折率に近い屈折率をもつよう選ばれてもよい。あるいはまた、制御された振幅をもつ後方反射を生成するため、材料または接着剤１６はファイバー１４及び光学素子１８の屈折率とは異なる屈折率をもつよう選ばれてもよい。ある実施形態では、接着剤はアクリル・ベースの接着剤である。ある実施形態では、紫外線硬化性接着剤が使用される。）
カ．「[0083] FIG. 2A shows a three-dimensional perspective drawing of the lensed surface 40 (see surface 25 in FIG. 1) with a first focal point F1 and a second focal point F2. FIG. 2B shows a three-dimensional perspective drawing of the entire optical element or miniature optical cap 50, having an outer diameter A, and inner diameter Di, and overall length B. As shown, the cap includes 
an annular opening 17 sized to receive and fixedly couple to an optical fiber
（[0083]　FIG. 2Aは、第一の焦点Ｆ１及び第二の焦点Ｆ２をもつレンズ化された表面４０（FIG. 1の表面２５参照）の三次元的な斜視図である。FIG. 2Bは、外側直径Ａ及び内側直径Ｄｉならびに全体的な長さＢをもつ光学素子または小型光学キャップ５０全体の三次元的な斜視図である。図のように、キャップは
光ファイバーを受け入れ、光ファイバーに固定的に結合するような大きさにされた環形開口１７
キ．「[0087] According to FIG. 3, an optical system 70 including a beam directing surface 72 for directing the beam out a side face of the cap 75 and generating a focal spot at a desired distance from the outer surface of the sheath 76 is shown. Thus, in some embodiments, the beam directing surface both directs and focuses a beam of light or other radiation. Additionally, the curvature of the lensed surface 72 can be adjusted to compensate for distortions caused by transmission through the sheath 76  and the outer cylindrical surface of the cap 75. The following section describes a process for designing a miniature optical cap of the type shown in FIG. 3 in order to achieve a desired focal spot size and working distance that is optimized for a specific optical analysis application. The optical analysis application chosen for this illustrative example is OCT imaging of the coronary blood vessels, which requires the optical fiber and miniature optical cap to rotate and translate longitudinally. This approach offers numerous advantages. These advantages include:
- Cost savings from reduced manufacturing time and removing the need for fusion splicing 
- Ability to provide a non-rotationally-symmetric lens shape to compensate for cylindrical distortion 
- Potentially improved repeatability in focal spot size and working distance」
（[0087]　FIG. 3によれば、キャップ７５の側面から出るようビームを向き付け、鞘７６の外側表面から所望される距離のところに焦点スポットを生成するための、ビーム向き付け表面７２を含む光学系７０が示されている。このように、いくつかの実施形態では、ビーム向き付け表面は、光または他の放射のビームを向き付けするとともに、合焦する。さらに、レンズ化された表面７２の曲率は、鞘７６とキャップ７５の外側円筒表面とを通じた透過によって引き起こされる歪みを補償するよう調整されることができる。下記の節は、特定の光学的解析用途のために最適化されている所望される焦点スポット・サイズ及び作業距離を達成するために、FIG. 3に示される型の小型光学キャップを設計するためのプロセスを記述する。この例解用の例のために選ばれる光学的解析用途は、冠血管のＯＣＴ撮像である。これは、光ファイバー及び小型光学キャップが回転及び長手方向に並進することを要求する。このアプローチは多数の利点を提供する。そうした利点は以下を含む：
−製造時間の低下によりコストが節減され、融着スプライシングの必要がなくなる
−円筒歪みを補償する非回転対称なレンズ形状を提供できる
−焦点スポットのサイズ及び作業距離における潜在的に改善された再現性。）
ク．上記「キ．」の記載において、「ビーム向き付け表面」と「レンズ化された表面」とには同一の符号「７２」が付されているから、「ビーム向き付け表面」と「レンズ化された表面」とが同一の部材を指すことは明らかである。
ケ．上記「ア．」の「前記細長い一体型のキャップは中実なセクション及び該中実なセクションの境界まで延びる体積を画定する第一の空洞セクションを画定し、前記体積はファイバー端面をもつ光ファイバーを囲み、該光ファイバーを受け入れるような大きさであり」との記載と、上記「オ．」の「Fig. 1の実施形態に示されるように、クラッディング１４をもつ光ファイバー・コア及びコーティングされた領域１２は光学素子１８の近位の側で空洞に挿入される」及び「空洞（または光学素子のファイバー受け入れ室）」との記載とを、FIG. 1を参照しつつ対照すると、「第一の空洞セクション」及び「空洞」はともに光ファイバーを受け入れる空間を指すものであり、同一の部位を指すことは明らかである。
コ．上記「オ．」の「Fig. 1の実施形態に示されるように、クラッディング１４をもつ光ファイバー・コア及びコーティングされた領域１２は光学素子１８の近位の側で空洞に挿入される。」、上記「カ．」の「FIG. 2Bは、外側直径Ａ及び内側直径Ｄｉならびに全体的な長さＢをもつ光学素子または小型光学キャップ５０全体の三次元的な斜視図である。図のように、キャップは光ファイバーを受け入れ、光ファイバーに固定的に結合するような大きさにされた環形開口１７を含む。」、及び、上記「キ．」の「FIG. 3によれば、キャップ７５の側面から出るようビームを向き付け、鞘７６の外側表面から所望される距離のところに焦点スポットを生成するための、ビーム向き付け表面７２を含む光学系７０が示されている。」との記載を踏まえると、FIG. 1、FIG. 2B及びFIG. 3からは、「
空洞の幅は空洞の長さよりも小さい
サ．上記「カ．」の記載から、FIG. 2Bにおける「表面５２」は「レンズ化された表面」であるといえ、FIG. 2Bからは、「
レンズ化された表面の中心と環形開口１７」の中心とが同軸である
　以上を総合すると、引用文献１には、次の発明（以下、「引用発明１」という。）が記載されているものと認められる。
「長手軸をもつ円筒型外側表面を有する細長い一体型のキャップを有する光ビーム向き付け要素であって：
　前記細長い一体型のキャップは、環形開口を画定する近位の端面及びビーム向き付け表面をもつ遠位の端面を有し、前記細長い一体型のキャップは中実なセクション及び該中実なセクションの境界まで延びる体積を画定する空洞を画定し、前記体積はファイバー端面をもつ光ファイバーを囲み、該光ファイバーを受け入れるような大きさであり、前記ビーム向き付け表面は、前記ファイバー端面に対して、前記ファイバー端面から受け取られた光が前記円筒型外側表面から作業距離Ｄに向けられて直径ｗの焦点スポットを形成するような角度及び位置にされ、
　レンズ化された表面は、ファイバー先端から放出される光の伝搬方向に対して傾斜させられ、
　光ファイバーは、コーティングされた領域及びクラッディング領域をもつ光案内コアを含み、
　接着剤が、コーティングされた領域及びクラッディングをもつコアを含む空洞を埋め、
　環形開口は、光ファイバーを受け入れ、光ファイバーに固定的に結合するような大きさにされており、
　空洞の幅は空洞の長さよりも小さく、
　レンズ化された表面の中心と環形開口の中心とが同軸である
光ビーム向き付け要素。」
（２）引用文献２
　当審拒絶理由に引用された、本願出願前に頒布された刊行物である引用文献２（特開２００１−２６４５９４号公報）には、図面と共に次の事項が記載されている。
ア．「【０１１９】この
光デバイスは
ガラス基板
１を用いて構成されている
【０１２０】Ｖ溝３のサイズは、光ファイバ２を安定に保持できるように設計される。Ｖ溝３の深さは、光ファイバ２を完全に内部に含み得るものであることが好ましいが、光ファイバ２の最上部が基板１の上面よりも僅かに上に位置しても大きな問題はない。また、Ｖ溝３に代えて、
光軸に垂直な面における断面が
Ｕ字型形状を有する溝を採用して
イ．「【０１５０】
光ファイバ２は、
ラス基板１の上面に形成された溝内に樹脂で固定されている
ウ．図１及び図４Ａからは、「
溝が基板１の長軸に垂直な方向に開いている
　以上を総合すると、引用文献２には、次の事項（以下、「引用文献２記載事項」という。）が記載されているものと認められる。
「ガラス基板を用いて構成された光デバイスにおいて、
光軸に垂直な面における断面がＵ字型形状を有する溝を採用し、
溝が基板の長軸に垂直な方向に開いており、
光ファイバは、ガラス基板の上面に形成された溝内に樹脂で固定されている点。」
（３）引用文献３
　当審拒絶理由に引用された、本願出願前に頒布された刊行物である引用文献３（特開２００４−２９７９８号公報）には、図面と共に次の事項が記載されている。
ア．「【００１２】
【実施の形態】
ここで、本発明の一層詳細な説明に戻ると、図１、２、３には、標準の半導体エッチング処理により
基体１４から製造された半導体モノリシック光学カップラ
イ．「【００１５】
好ましくは、
基体の頂表面内の溝２４は
ほぼＵ字状とすることができる
光ファイバ１６を溝２４内に配置したとき、溝の
Ｕ字形状がカップラ内の光ファイバの長手軸線４６と精確に整合し
ウ．図１及び図３からは、「
溝が基体の長軸に垂直な方向に開いている
　以上を総合すると、引用文献３には、次の技術事項（以下、「引用文献３記載事項」という。）が記載されているものと認められる。
「基体から製造された半導体モノリシック光学カップラにおいて、
基体の頂表面内の溝はほぼＵ字状とすることができ、
溝が基体の長軸に垂直な方向に開いており、
光ファイバを溝内に配置したとき、溝のＵ字形状がカップラ内の光ファイバの長手軸線と精確に整合する点。」
３．対比
　本願発明と、引用発明１とを対比する。
（１）後者の「長手軸」、「近位の端面」、「円筒型外側表面」、「遠位の端面」、「ビーム向き付け表面」、「光ビーム向き付け要素」及び「光ファイバー」は、その構造及び機能からみて、前者の「長軸」、「第１の端部」、「円筒状外面」、「第２の端部」、「ビーム方向付け面」、「レンズ」及び「光ファイバ」にそれぞれ相当する。
（２）後者の「キャップ」は「円筒型外側表面を有する細長い一体型」のものであるから、前者の「略円筒体」に相当する。
（３）後者の「前記ビーム向き付け表面は、前記ファイバー端面に対して、前記ファイバー端面から受け取られた光が前記円筒型外側表面から作業距離Ｄに向けられて直径ｗの焦点スポットを形成するような角度および位置にされ、レンズ化された表面は、ファイバー先端から放出される光の伝搬方向に対して傾斜させられる」は、ここでの「ファイバー先端から放出される光の伝搬方向」が「長手軸」方向であることは明らかであることに照らせば、前者の「前記ビーム方向付け面は前記長軸に対して傾斜し」に相当する。
（４）後者の「空洞」は「体積を画定する」ものであって、「前記体積はファイバー端面をもつ光ファイバーを囲み、該光ファイバーを受け入れるような大きさであ」り、前者の「溝」は「光ファイバを受容できる大きさに構成され、該光ファイバは前記溝内で接着されて置かれ」るから、後者の「空洞」と前者の「溝」とは、ともに光ファイバを受容するものであって、「（光ファイバの）受容部」との概念で共通する。
（５）後者の「前記細長い一体型のキャップは、環形開口を画定する近位の端面およびビーム向き付け表面をもつ遠位の端面を有し、前記細長い一体型のキャップは中実なセクションおよび該中実なセクションの境界まで延びる体積を画定する」と、前者の「前記略円筒体及び前記円筒状外面は、前記第１の端部と前記ビーム方向付け面との間に溝を規定し、該溝は内端面を規定し」とは、「前記略円筒体及び前記円筒状外面は、前記第１の端部と前記ビーム方向付け面との間に受容部を規定し、該受容部は内端面を規定し」との概念で共通する。
（６）後者の「前記体積はファイバー端面をもつ光ファイバーを囲み、該光ファイバーを受け入れるような大きさであり」及び「光ファイバーは、コーティングされた領域およびクラッディング領域をもつ光案内コアを含み、接着剤が、コーティングされた領域およびクラッディングをもつコアを含む空洞を埋める」と、前者の「前記溝は光ファイバを受容できる大きさに構成され、該光ファイバは前記溝内で接着されて置かれ」とは、「受容部は光ファイバを受容できる大きさに構成され、該光ファイバは前記受容部内で接着されて置かれ」との概念で共通する。
（７）後者の「キャップの空洞の幅は空洞の長さよりも小さい」点と、前者の「前記溝の幅は前記溝の長さよりも小さく」の点とは、「前記受容部の幅は前記受容部の長さよりも小さく」との概念で共通する。
（８）後者の「環形開口」は、「光ファイバーを受け入れ」るものである。また、後者が「環形開口を画定する近位の端面」との事項を備えることからみて、後者の「環形開口」は、「近位の端面」に位置するといえる。
　そうすると、後者の「環形開口」は、「近位の端面」に位置し「光ファイバーを受け入れ」るから、前者の「ファイバ受容端面」に相当する。また、後者の「近位の端面」に「光ファイバーを受け入れ」る「環形開口」が位置する点は、前者の「前記第１の端部はファイバ受容端面を定義し」に相当する。
（９）『広辞苑第六版』（株式会社岩波書店）によると、「スロット」は「みぞ穴。自動販売機の貨幣やカードを挿入するみぞ穴。」との語義を有している。そうすると、後者の「環形開口」及び前者の「スロット」はいずれも「開口」といえるものであるから、後者の「環形開口」が「近位の端面」に位置し「光ファイバーを受け入れ」る点と、前者の「ファイバ受容端面はスロットを定義し」とは、「ファイバ受容端面は開口を定義し」との概念で共通する。
　また、後者においては、「環形開口は、光ファイバーを受け入れ」るから、「光ファイバー」を基準としてみれば、「光ファイバー」は「環形開口」から延びているということができ、後者のこの点と、前者の「前記光ファイバは該スロットから延びている」とは、「光ファイバは開口から延びている」との概念で共通する。
　そうすると、本願発明と引用発明１とは
「長軸を有し、第１の端部と、円筒状外面と、第２の端部にあるビーム方向付け面とを含む略円筒体
　を含むレンズであって、
　前記略円筒体及び前記円筒状外面は、前記第１の端部と前記ビーム方向付け面との間に受容部を規定し、該受容部は内端面を規定し、
　前記ビーム方向付け面は前記長軸に対して傾斜し、
　前記受容部は光ファイバを受容できる大きさに構成され、該光ファイバは前記受容部内で接着されて置かれ、前記受容部の幅は前記受容部の長さよりも小さく、
　前記第１の端部はファイバ受容端面を定義し、該ファイバ受容端面は開口を定義し、前記光ファイバは該開口から延びている、レンズ。」
である点で一致し、以下の点で相違する。
［相違点１］
　前者では、略円筒体及び円筒状外面が第１の端部とビーム方向付け面との間に「溝」を規定し、「溝」は内端面を規定し、「溝の高さは該溝の幅よりも大きく」、「溝は略円筒体の長軸に垂直な方向に開いており」、「溝」は光ファイバを受容できる大きさに構成され、光ファイバは「溝」内で接着されて置かれ、「溝」の幅は「溝」の長さよりも小さいのに対して、後者は、受容部である「空洞」を有するものの「溝」を有さず、「溝の高さは該溝の幅よりも大きく」、「溝は略円筒体の長軸に垂直な方向に開いて」いるものではない点。
［相違点２］
　前者のファイバ受容端面は「スロット」を定義し、光ファイバは「スロット」から延びているのに対して、後者は「環形開口」を有するものの「スロット」を有さない点。
４．判断
（１）相違点１について
　光ファイバを用いた光デバイスにおいて、光ファイバを光デバイスの長軸に垂直な方向に開いているＵ字型の溝内に固定することは、例えば、引用文献２記載事項（上記「２．（２）」参照）及び引用文献３記載事項（上記「２．（３）」参照）のように、本願の出願前に周知の技術事項（以下、「周知技術１」という。）であって、当該周知技術１を、同じく光デバイスの技術分野に属し、光ファイバを固定するという作用・機能を有する引用発明１に適用して「空洞」を「垂直な方向に開いているＵ字型の溝」とすることは当業者が容易になし得たことである。
　そして、引用発明１の「光ビーム向き付け要素」においては、「前記ビーム向き付け表面は、前記ファイバー端面に対して、前記ファイバー端面から受け取られた光が前記円筒型外側表面から作業距離Ｄに向けられて直径ｗの焦点スポットを形成する」、すなわち、「ビーム向き付け表面」（レンズ化された表面）は「ファイバー」（光ファイバー）端面から光を受け取るのだから、「ファイバー」（光ファイバー）の中心を「ビーム向き付け表面」（レンズ化された表面）の中心と同軸に配置することは光学設計上、当然に要請されることであって、現に引用発明１においても「レンズ化された表面の中心と環形開口の中心とが同軸である」から、「ファイバー」（光ファイバー）の中心は「ビーム向き付け表面」（レンズ化された表面）の中心と同軸に配置されているものと認められる。
　そうすると、引用発明１に周知技術１を適用して「空洞」を「Ｕ字型の溝」とする際に、「Ｕ字型の溝」の形状を「光ファイバー」の中心と「レンズ化された表面」の中心とが同軸に配置されるものとすることは当業者が当然考慮すべき事項であり、そのような配置とすれば、「Ｕ字型の溝」の高さは「光ファイバー」の径と同等の高さに加えて、「光ビーム向き付け要素」の表面に至る高さを有するものとなる一方、「Ｕ字型の溝」の幅は「光ファイバー」の径と同等の幅を有するものとなって、「溝の高さは溝の幅よりも大きく」なる。
　してみると、引用発明１において上記周知技術１を適用することにより、相違点１に係る本願発明の発明特定事項とすることは当業者が容易になし得てことである。
（２）相違点２について
　上記「（１）」において検討したように引用発明１に周知技術１を適用して「空洞」をＵ字型の「溝」とすれば、引用発明１の「環形開口」がＵ字型の「溝」の形状をした開口となることは明らかである。そして、上記「３．（９）」のとおり、「スロット」は「みぞ穴。自動販売機の貨幣やカードを挿入するみぞ穴。」との語義を有するから、当該「Ｕ字型の「溝」の形状をした開口」は「みぞ穴」といい得るものであって、本願発明の「スロット」に相当する。
　すなわち、引用発明１に周知技術１を適用すれば、ファイバ受容端面はスロットを定義し、光ファイバはスロットから延びているものとなる。
　そうすると、引用発明１において上記周知技術１を適用することにより、相違点２に係る本願発明の発明特定事項とすることは当業者が容易になし得てことである。
（３）まとめ
　相違点１及び２については上記「（１）及び（２）」のとおりであって、本願発明の発明特定事項の全体によって奏される効果も、引用発明１及び周知技術１から当業者が予測し得る範囲内のものである。
　そうすると、本願発明は、引用発明１及び周知技術１から当業者が容易に発明をすることができたものである。
第４　むすび
　以上のとおり、本願発明は、引用発明１及び周知技術１に基づいて当業者が容易に発明をすることができたものであるから、特許法第２９条第２項の規定により特許を受けることができない。
　したがって、その余の請求項に係る発明について検討するまでもなく、本願は拒絶されるべきものである。
　よって、結論のとおり審決する。